(57)【要約】【課題】本発明は、逆潮流及び故障等の問題を起こさずに、分電盤に接続された任意の負荷について停電から復電までシームレスに電力を供給するバッテリシステムを提供することを目的とする。【解決手段】本発明は、複数の負荷を備えた需要家内におけるバッテリシステムであって、複数の負荷が接続された分電盤と、電力系統と分電盤との間に設けられた遮断器と、分電盤に接続されたバッテリと、バッテリを制御する監視制御部と、遮断器と分電盤との間における第１の測定点の電圧と、電力系統と前記遮断器との間における第２の測定点の電圧と、電力系統と遮断器との間における第３の測定点の電流とを測定することにより測定情報を生成して、監視制御部に送信する測定部と、を備えたことを特徴とする。【選択図】図４
2016046872.tif 000002
【特許請求の範囲】
【請求項１】
複数の負荷を備えた需要家内におけるバッテリシステムであって、
前記複数の負荷が接続された分電盤と、
電力系統と前記分電盤との間に設けられた遮断器と、
前記分電盤に接続されたバッテリと、
前記バッテリを制御する監視制御部と、
前記遮断器と前記分電盤との間における第１の測定点の電圧と、前記電力系統と前記遮断器との間における第２の測定点の電圧と、前記電力系統と前記遮断器との間における第３の測定点の電流とを測定することにより測定情報を生成して、前記監視制御部に送信する測定部と、
を備えたことを特徴とするバッテリシステム。
【請求項２】
前記監視制御部は、前記バッテリにおける電圧及び電流を測定し、
前記監視制御部は、停電後に前記第１の測定点の電圧が検出された場合に、前記第１の測定点の電圧の振幅、位相及び周波数と、前記バッテリにおける電圧の振幅、位相及び周波数とを同期させることを特徴とする請求項１に記載のバッテリシステム。
【請求項３】
前記監視制御部は、前記バッテリからパルス信号を出力して、前記第１の測定点において電圧が検出されるか否かを判断することを特徴とする請求項１又は２に記載のバッテリシステム。
【請求項４】
前記監視制御部は、前記第３の測定点の電流が前記遮断器の定格電流よりも低い値に設定された所定の上限閾値を超えた場合、前記バッテリから前記負荷に電流を供給するように前記バッテリを制御することを特徴とする請求項１乃至３のいずれかに記載のバッテリシステム。
【請求項５】
前記監視制御部は、前記第２の測定点の電圧が所定の下限閾値以下になった場合であって、前記第１の測定点の電圧が検出されない場合、停電が発生したことを判断することを特徴とする請求項１乃至４のいずれかに記載のバッテリシステム。
【請求項６】
前記監視制御部は、前記停電が発生したことを判断したことに応答して、前記バッテリが前記負荷に電圧を供給するように前記バッテリを制御することを特徴とする請求項５に記載のバッテリシステム。
【請求項７】
前記監視制御部は、前記第２の測定点の電圧が所定の下限閾値以下になった場合であって、前記第１の測定点の電圧が検出された場合、前記遮断器がオフになったことを判断することを特徴とする請求項１乃至６のいずれかに記載のバッテリシステム。
【請求項８】
前記監視制御部は、ネットワーククラウドを介してサービスプロバイダと通信可能に構成されていることを特徴とする請求項１乃至７のいずれかに記載のバッテリシステム。
【請求項９】
複数の負荷が接続された分電盤と、
電力系統と前記分電盤との間に設けられた遮断器と、
前記分電盤に接続されたバッテリと、
前記バッテリを制御する監視制御部と、
前記遮断器と前記分電盤との間における第１の測定点の電圧と、前記電力系統と前記遮断器との間における第２の測定点の電圧と、前記電力系統と前記遮断器との間における第３の測定点の電流とを測定する測定部と、
を備えたバッテリシステムを制御する方法であって、
前記測定部が、前記第１の測定点の電圧と、前記第２の測定点の電圧と、前記第３の測定点の電流とを測定することにより測定情報を生成するステップと、
前記測定部が、前記測定情報を前記監視制御部に送信するステップと、
を含み、
前記監視制御部は、前記測定情報に基づいて前記バッテリの充放電を制御することを特徴とする方法。
【請求項１０】
前記監視制御部が、前記バッテリにおける電圧及び電流を測定するステップと、
前記監視制御部が、停電後に前記第１の測定点の電圧が検出された場合に、前記第１の測定点の電圧の振幅、位相及び周波数と、前記バッテリにおける電圧の振幅、位相及び周波数とを同期させるステップと、
をさらに含むことを特徴とする請求項９に記載の方法。
【請求項１１】
前記監視制御部が、前記バッテリからパルス信号を出力して、前記第１の測定点において電圧が検出されるか否かを判断するステップをさらに含むことを特徴とする請求項９又は１０に記載の方法。
【請求項１２】
前記監視制御部が、前記第３の測定点の電流が前記遮断器の定格電流よりも低い値に設定された所定の上限閾値を超えた場合、前記バッテリから前記負荷に電流を供給するように前記バッテリを制御するステップをさらに含むことを特徴とする請求項９乃至１１のいずれかに記載の方法。
【請求項１３】
前記監視制御部は、前記第２の測定点の電圧が所定の下限閾値以下になった場合であって、前記第１の測定点の電圧が検出されない場合、停電が発生したことを判断するステップをさらに含むことを特徴とする請求項９乃至１２のいずれかに記載の方法。
【請求項１４】
前記監視制御部は、前記停電が発生したことを判断したことに応答して、前記バッテリが前記負荷に電圧を供給するように前記バッテリを制御するステップをさらに含むことを特徴とする請求項１３に記載の方法。
【請求項１５】
前記監視制御部は、前記第２の測定点の電圧が所定の下限閾値以下になった場合であって、前記第１の測定点の電圧が検出された場合、前記遮断器がオフになったことを判断するステップをさらに含むことを特徴とする請求項９乃至１４のいずれかに記載の方法。
【発明の詳細な説明】
【技術分野】
【０００１】
本発明は、バッテリシステムおよびその制御方法に関する。
【背景技術】
【０００２】
近年、スマートグリッドの実用化に向けた様々な研究開発が行われている。系統電力網における需給バランスを最適化するための監視制御部や、一般家庭における受電、発電の制御、省電力のためのＨＥＭＳ（Home Energy Management System）等の開発が進められている。このようなシステムにおいては、需要家の電力消費を正確に把握することが必要であり、スマートメータと呼ばれる測定部が知られている。スマートメータは、従来のアナログ式電力量計とは異なり、デジタル式の計測機能、監視制御部へ計測値を送信したり、監視制御部からの制御信号を受信するための通信機能を備えていることが特徴である。
【０００３】
図１は、スマートメータを利用した従来のシステムを例示する。図１には、スマートメータ２と、遮断器３と、分電盤４と、を備えたシステムが示されている。スマートメータ２は、電力系統１と遮断器３との間の電流及び電圧を測定して供給電力を算出し、これらをスマートメータ２に設けられた表示装置に表示する。遮断器３は、電力系統１と分電盤４との間に設けられ、過電流が加わった場合には電力系統１と分電盤４との間を遮断するように構成されている。分電盤４は、家庭用のコンセントを介して複数の負荷５と接続されている。家庭内のユーザは、スマートメータ２によって家庭内の電力使用量を認識することができる。
【０００４】
図２は、ＨＥＭＳ（Home Energy Management System）を例示する。図２には、スマートメータ２と、遮断器３と、分電盤４と、無線通信装置６と、表示装置７と、を備えたＨＥＭＳが例示されている。ＨＥＭＳでは、家庭内の電力使用量等の情報を無線通信装置６を介してモニターやスマートフォン等の表示装置７に送信して、家庭内の電力使用量を可視化するためのシステムである。
【０００５】
図３には、バッテリを用いたＵＰＳ（Uninterrupted Power Supply）システムを例示する。図３には、スマートメータ２と、遮断器３と、分電盤４と、バッテリ８と、を備えたＵＳＰシステムが記載されている。ＵＰＳシステムでは、電力系統１からの電力供給断が発生した場合であっても、バッテリ８を蓄電しておいてバッテリ８から負荷５に電力を供給することにより、無停電で負荷５に電力を供給することができる。
【発明の概要】
【発明が解決しようとする課題】
【０００６】
しかしながら、図３に示すような従来のＵＰＳシステムでは、電力系統１への電力の送出による逆潮流及び故障等を防ぐために、バッテリ８は負荷５側の一方向に整流するように構成されていた。そのため、バッテリ８に直接接続された負荷５にしか電力を供給することができず、停電時に分電盤４に接続された任意の負荷５にバッテリ８から電力を供給できなかった。
【０００７】
そこで、本発明は、簡単な制御方法により、電力系統１への電力の送出による逆潮流及び故障等の問題を起こさずに、分電盤４に接続された任意の負荷５について停電から復電までシームレスに電力を供給するバッテリシステムを提供することを目的とする。
【課題を解決するための手段】
【０００８】
上記の課題を解決するために、請求項１に記載のバッテリシステムは、複数の負荷を備えた需要家内におけるバッテリシステムであって、前記複数の負荷が接続された分電盤と、電力系統と前記分電盤との間に設けられた遮断器と、前記分電盤に接続されたバッテリと、前記バッテリを制御する監視制御部と、前記遮断器と前記分電盤との間における第１の測定点の電圧と、前記電力系統と前記遮断器との間における第２の測定点の電圧と、前記電力系統と前記遮断器との間における第３の測定点の電流とを測定することにより測定情報を生成して、前記監視制御部に送信する測定部と、を備えたことを特徴とする。
【０００９】
請求項２に記載のバッテリシステムは、請求項１に記載のバッテリシステムであって、前記監視制御部は、前記バッテリにおける電圧及び電流を測定し、前記監視制御部は、停電後に前記第１の測定点の電圧が検出された場合に、前記第１の測定点の電圧の振幅、位相及び周波数と、前記バッテリにおける電圧の振幅、位相及び周波数とを同期させることを特徴とする。
【００１０】
請求項３に記載のバッテリシステムは、請求項１又は２に記載のバッテリシステムであって、前記監視制御部は、前記バッテリからパルス信号を出力して、前記第１の測定点において電圧が検出されるか否かを判断することを特徴とする。
【００１１】
請求項４に記載のバッテリシステムは、請求項１乃至３のいずれかに記載のバッテリシステムであって、前記監視制御部は、前記第３の測定点の電流が前記遮断器の定格電流よりも低い値に設定された所定の上限閾値を超えた場合、前記バッテリから前記負荷に電流を供給するように前記バッテリを制御することを特徴とする。
【００１２】
請求項５に記載のバッテリシステムは、請求項１乃至４のいずれかに記載のバッテリシステムであって、前記監視制御部は、前記第２の測定点の電圧が所定の下限閾値以下になった場合であって、前記第１の測定点の電圧が検出されない場合、停電が発生したことを判断することを特徴とする。
【００１３】
請求項６に記載のバッテリシステムは、請求項５に記載のバッテリシステムであって、前記監視制御部は、前記停電が発生したことを判断したことに応答して、前記バッテリが前記負荷に電圧を供給するように前記バッテリを制御することを特徴とする。
【００１４】
請求項７に記載のバッテリシステムは、請求項１乃至６のいずれかに記載のバッテリシステムであって、前記監視制御部は、前記第２の測定点の電圧が所定の下限閾値以下になった場合であって、前記第１の測定点の電圧が検出された場合、前記遮断器がオフになったことを判断することを特徴とする。
【００１５】
請求項８に記載のバッテリシステムは、請求項１乃至７のいずれかに記載のバッテリシステムであって、前記監視制御部は、ネットワーククラウドを介してサービスプロバイダと通信可能に構成されていることを特徴とする。
【００１６】
請求項９に記載の方法は、複数の負荷が接続された分電盤と、電力系統と前記分電盤との間に設けられた遮断器と、前記分電盤に接続されたバッテリと、前記バッテリを制御する監視制御部と、前記遮断器と前記分電盤との間における第１の測定点の電圧と、前記電力系統と前記遮断器との間における第２の測定点の電圧と、前記電力系統と前記遮断器との間における第３の測定点の電流とを測定する測定部と、を備えたバッテリシステムを制御する方法であって、前記測定部が、前記第１の測定点の電圧と、前記第２の測定点の電圧と、前記第３の測定点の電流とを測定することにより測定情報を生成するステップと、前記測定部が、前記測定情報を前記監視制御部に送信するステップと、を含み、前記監視制御部は、前記測定情報に基づいて前記バッテリの充放電を制御することを特徴とする。
【００１７】
請求項１０に記載の方法は、請求項９に記載の方法であって、前記監視制御部が、前記バッテリにおける電圧及び電流を測定するステップと、前記監視制御部が、停電後に前記第１の測定点の電圧が検出された場合に、前記第１の測定点の電圧の振幅、位相及び周波数と、前記バッテリにおける電圧の振幅、位相及び周波数とを同期させるステップと、をさらに含むことを特徴とする。
【００１８】
請求項１１に記載の方法は、請求項９又は１０に記載の方法であって、前記監視制御部が、前記バッテリからパルス信号を出力して、前記第１の測定点において電圧が検出されるか否かを判断するステップをさらに含むことを特徴とする。
【００１９】
請求項１２に記載の方法は、請求項９乃至１１のいずれかに記載の方法であって、前記監視制御部が、前記第３の測定点の電流が前記遮断器の定格電流よりも低い値に設定された所定の上限閾値を超えた場合、前記バッテリから前記負荷に電流を供給するように前記バッテリを制御するステップをさらに含むことを特徴とする。
【００２０】
請求項１３に記載の方法は、請求項９乃至１２のいずれかに記載の方法であって、前記監視制御部は、前記第２の測定点の電圧が所定の下限閾値以下になった場合であって、前記第１の測定点の電圧が検出されない場合、停電が発生したことを判断するステップをさらに含むことを特徴とする。
【００２１】
請求項１４に記載の方法は、請求項１３に記載の方法であって、前記監視制御部は、前記停電が発生したことを判断したことに応答して、前記バッテリが前記負荷に電圧を供給するように前記バッテリを制御するステップをさらに含むことを特徴とする。
【００２２】
請求項１５に記載の方法は、請求項９乃至１４のいずれかに記載の方法であって、前記監視制御部は、前記第２の測定点の電圧が所定の下限閾値以下になった場合であって、前記第１の測定点の電圧が検出された場合、前記遮断器がオフになったことを判断するステップをさらに含むことを特徴とする。
【発明の効果】
【００２３】
本発明によると、簡単な制御方法により、電力系統１への電力の送出による逆潮流及び故障等の問題を起こさずに、分電盤４に接続された任意の負荷５について停電から復電までシームレスに電力を供給するバッテリシステムを提供することができる。
【図面の簡単な説明】
【００２４】
【図１】スマートメータを利用した従来の電力測定システムの構成を示す図である。
【図２】図２は、ＨＥＭＳを例示する図である。
【図３】バッテリを用いたＵＰＳシステムを例示する図である。
【図４】本発明の実施例１に係るバッテリシステムの構成を示す図である。
【図５】本発明に係るバッテリシステムの制御フロー図である。
【図６】本発明の実施例２に係るバッテリシステムの構成を示す図である。
【発明を実施するための形態】
【００２５】
＜実施例１＞
図４は、本発明の実施例１に係るバッテリシステムの構成を示す。図４は、本発明に係るバッテリシステムを示す。図４には、スマートメータ２と、遮断器３と、分電盤４と、バッテリ８と、測定部１０と、監視制御部１１と、を備えたバッテリシステム１００が示されている。
【００２６】
遮断器３は、電力系統１と分電盤４との間に設けられ、過電流が加わった場合には電力系統１と分電盤４との間を遮断するように構成されている。分電盤４は、家庭用のコンセントを介して複数の負荷５及びバッテリ８と接続されている。バッテリ８には、監視制御部１１が接続されている。バッテリ８としては、１〜２ｋＷ程度の定格を有するものを使用することができる。ここで、分電盤４は、家庭用のコンセントを介さずに、複数の負荷５及びバッテリ８と直接接続するように構成してもよい。また、監視制御部１１は、バッテリ８に内蔵されていても、バッテリ８とは別のコンセントを介して分電盤４と接続されていてもよい。
【００２７】
測定部１０は、電力系統１と遮断器３との間の測定点ｍ１における電圧Ｖ１と、遮断器３と分電盤４との間の測定点ｍ２における電圧Ｖ２と、遮断器３と分電盤４との間の測定点ｍ３における電流Ｉ１とを測定して測定情報を生成し、監視制御部１１に送信することができる。測定部１０は電圧Ｖ１と電圧Ｖ２の２か所の測定結果により、電力系統１の停電・復電、遮断器３の遮断・復帰を判定することができる。電圧Ｖ１と電圧Ｖ２の振幅・周波数・位相を同期させることにより、遮断器３の再投入時の突入電流を和らげることができる。測定部１０における電圧及び電流の測定方法としては、電力線に接触することにより電圧及び電流を測定する接触型でも、電力線に接触せずに電圧及び電流を測定する非接触型でもどちらでもよい。非接触型の場合、大規模工事等を必要とせずに、測定部１０を簡単に設置することができる。
【００２８】
監視制御部１１は、バッテリ８における電圧Ｖ３及び電流Ｉ２を測定することができる。また、監視制御部１１は、受信した測定情報並びにバッテリ８における電圧Ｖ３及び電流Ｉ２に基づいて、コンダクタを用いた遮断器３のオンオフ制御、バッテリ８の充放電制御及び家庭内の負荷５のオンオフ制御等をすることができる。
【００２９】
以下、図５を用いて、本発明に係るバッテリシステムの制御を示す。図５は、本発明に係るバッテリシステムの制御フロー図である。
【００３０】
（通常運転）
通常運転時には、電力系統１から遮断器３及び分電盤４を介して負荷５やバッテリ８に電力が供給される。
【００３１】
（ブーストモード）
ブーストモード時における本発明のバッテリシステムの制御を示す。通常運転時に例えば１０ｋｗ程度の電力を用いて充電を行う必要がある電気自動車などの負荷５の充電をする場合や複数の負荷５を同時に使用する場合、あるいは遮断器３の定格を低く設定した場合、遮断器３の定格よりも大きな電力が必要となる。遮断器３の定格よりも高い電力消費が行われる場合、測定部１０で測定された測定点ｍ３における電流Ｉ１が遮断器３の定格電流よりも低い値に設定された所定の上限閾値Ｉｔｈを一時的に超える。図５に示すステップ５０１で、監視制御部１１は、受信した測定情報に含まれる測定点ｍ３における電流Ｉ１が所定の上限閾値Ｉｔｈを超えたことに応答して、通常運転からブーストモードに切り替える。
【００３２】
ブーストモードでは、監視制御部１１は、バッテリ８を電流モードで駆動する。ここで、電流モードとは、バッテリ８から分電盤４を介して負荷５に電流を供給するようにバッテリ８のオンオフをスイッチング制御するバッテリ８の動作モードである。それにより、測定点ｍ３における電流Ｉ１が上限閾値Ｉｔｈよりも低い所定の値となるようにバッテリ８の放電を制御する。
【００３３】
その結果、遮断器３の定格とバッテリ８の定格とを足し合わせた電力の範囲内で、電流Ｉ１の上限閾値Ｉｔｈ超過分の電力を負荷５に供給することができる。また、より定格の小さな遮断器３に取り替えて、アンペアカットを行うことができるため、電力契約上有利になる。
【００３４】
ここで、監視制御部１１は、例えば測定点ｍ３における電流Ｉ１が所定の上限閾値Ｉｔｈを超えると同時に警告メッセージを発してもよい。それにより、遮断器３の故障等を未然に防ぐことができる。
【００３５】
（ブレーカ断モード）
ブレーカ断モード時における本発明に係るバッテリシステムの制御を示す。図５に示すステップ５０２で、受信した測定情報における測定点ｍ２における電圧Ｖ２が所定の下限閾値Ｖｔｈ以下になると、図５に示すステップ５０３で、監視制御部１１は測定情報により測定点ｍ１の電圧Ｖ１を確認する。ここで、下限閾値Ｖｔｈは、例えば、通常運転時の電力系統１からの供給電圧の電圧変動範囲の下限以下の値とすることができる。
【００３６】
測定点ｍ１の電圧Ｖ１が検出された場合、監視制御部１１は、需要家内の負荷５の使用過多等による消費電力の増大により遮断器３がオフになったと判断し、通常運転からブレーカ断モードに切り替わる。ブレーカ断モードに切り替わると、バッテリ８を出力停止状態にした後に、遮断器３をオンにする。その後、監視制御部１１は、測定点ｍ２の電圧Ｖ２が検出されたことに応答して、ブレーカ断モードから通常運転に切り替える。ここで、監視制御部１１は、測定点ｍ１の電圧Ｖ１が検出されたとき、遮断器３をオンにする旨のメッセージを発して、ユーザに手動で遮断器３をオンに切り替させることができる。
【００３７】
（停電モード）
停電モード時における本発明に係るバッテリシステムの制御を示す。図５に示すステップ５０２で、受信した測定情報における測定点ｍ２における電圧Ｖ２が所定の下限閾値Ｖｔｈ以下になり、図５に示すステップ５０３で、測定点ｍ１の電圧Ｖ１が検出されない場合、監視制御部１１は、通常運転から停電モードに切り替わり、電力系統１からの電力供給断により停電が発生したと判断する。停電モードに切り替わると、監視制御部１１は、遮断器３をオフにする。ここで、監視制御部１１は、遮断器３をオフにする旨のメッセージを発して、ユーザに手動で遮断器３をオフにさせることもできる。
【００３８】
監視制御部１１は、バッテリ８からパルス信号を出力するように放電制御し、測定点ｍ１においてパルス信号が検出されるかを判断して、遮断器３がオフになったか否かを確認することができる。バッテリ８が出力するパルス信号は、家電機器等の負荷５に影響を与えないような特徴的な信号とすることができる。測定点ｍ１でパルス信号が検出されなかった場合、遮断器３がオフであると判断する。
【００３９】
遮断器３がオフになった後、監視制御部１１は、バッテリ８を電圧モードで駆動する。ここで、電圧モードとは、バッテリ８が電力系統１の代わりとなって電圧を生成して家庭内の負荷５に電圧を供給するようにバッテリ８を動作させるバッテリ８の動作モードである。これにより、監視制御部１１は、例えば、停電直前の測定点ｍ１における電圧Ｖ１と同じ周波数及び振幅の電圧を生成して停電直前の供給電圧が維持されるように、バッテリ８から負荷５に電圧を供給することができる。
【００４０】
バッテリ８の電圧供給によりバッテリ８における電流Ｉ２がバッテリ８の定格電流以下の所定の電流閾値よりも大きくなった場合、監視制御部１１はバッテリ８からの電圧供給を停止し、所定の時間経過後に電圧供給を開始する。また、監視制御部１１は、例えば不要な電気機器などの負荷５をオフにする旨のメッセージを発してもよい。
【００４１】
（停電復帰モード）
停電復帰モード時の本発明に係るバッテリシステムの制御を示す。図５に示すステップ５０４で、測定点ｍ１で電圧Ｖ１が検出されると、監視制御部１１は、電力系統１からの送電が復帰したと判断して、停電モードから停電復帰モードに切り替わる。停電復帰モードでは、監視制御部１１は、測定点ｍ１で測定される電圧Ｖ１の振幅、位相及び周波数とバッテリ８における電圧の振幅、位相及び周波数とを同期させるようにバッテリ８のスイッチングを制御する。電圧の同期後、監視制御部１１は遮断器３をオンにする。ここで、監視制御部１１は、電圧の同期後に遮断器３をオンにする旨のメッセージを発してユーザに手動でオンに切り替えさせることもできる。
【００４２】
遮断器３がオンになった後、監視制御部１１は、電圧の振幅、位相及び周波数の同期を保ちつつバッテリ８を速やかに出力停止状態にする。これにより、停電復帰が完了し、監視制御部１１は停電復帰モードから通常運転に切り替える。
【００４３】
＜実施例２＞
図６は、本発明の実施例２に係るバッテリシステムを示す。図６に示すバッテリシステムでは、監視制御部１１がネットワーククラウド２０を介してサービスプロバイダ２１と双方向に通信可能に構成されている。
【００４４】
電力ネットワークにおいては、電力供給量と電力需要量とが安定して一致することが望ましい。電力供給量と電力需要量との間の不一致は、周波数や電圧の変動といった複雑な電気的問題を生じさせるためである。実施例２に係るバッテリシステムでは、需要家に設置したバッテリ８の放電／充電を制御して需要家における電力需要を減少／増大させることで、需要家に対する電力供給量をサービスプロバイダと需要家との間で予め決定された電力供給量と一致させることができる。それにより、実施例２に係るバッテリシステムでは、発電設備の利用率を維持しつつ、需要家における電力需要変動に起因する周波数や電圧といった複雑な電気的問題を解消することができる。以下、実施例２に係るバッテリシステムの制御方法を示す。
【００４５】
監視制御部１１は、測定部１０から受信した測定情報のうち電圧Ｖ２及び電流Ｉ１とバッテリ８の蓄電状態を含むバッテリステータス情報とをネットワーククラウド２０を介してサービスプロバイダ２１に送信する。サービスプロバイダ２１は、受信した電圧Ｖ２及び電流Ｉ１を記録して、その需要家における現在の電力需要量を求める。サービスプロバイダ２１では、記録した電圧Ｖ２及び電流Ｉ１からその需要家における予測需要量を予め算出し、予測需要量に基づいてサービスプロバイダ２１が需要家に供給する電力供給量を決定・契約している。
【００４６】
サービスプロバイダ２１は、現在の電力需要量と予測需要量とを比較して、現在の電力需要量と予測需要量との差を求める。サービスプロバイダ２１は、当該比較結果及びバッテリステータス情報に基づいて、バッテリ充放電制御信号を生成する。バッテリ充放電制御信号は、例えば、現在の電力需要量が予測需要量に満たない場合は不足分を補うようにバッテリ８を充電し、現在の電力需要量が予測需要量を超過している場合は超過分を補うようにバッテリ８を放電するように構成することができる。サービスプロバイダ２１は、ネットワーククラウド２０を介してバッテリ充放電信号を監視制御部１１に送信する。監視制御部１１は、受信したバッテリ充放電信号に基づいて、バッテリ８の充放電制御を実行することができる
【符号の説明】
【００４７】
電力系統  １
スマートメータ  ２
遮断器  ３
分電盤  ４
負荷  ５
無線通信装置  ６
表示装置  ７
バッテリ  ８
測定部  １０
監視制御部  １１
ネットワーククラウド  ２０
サービスプロバイダ  ２１
【図１】
2016046872.tif 000003
【図２】
2016046872.tif 000004
【図３】
2016046872.tif 000005
【図４】
2016046872.tif 000006
【図５】
2016046872.tif 000007
【図６】
2016046872.tif 000008